(57)【要約】【課題】鏡面の傾斜角度を適切に検出する。【解決手段】車両用のミラーであって、鏡面と、鏡面を傾けるアクチュエータと、鏡面の傾斜角度に応じて静電容量が変化するコンデンサ２０２と、コンデンサの静電容量に基づき、鏡面の傾斜角度に応じた信号を出力する信号出力部１２４とを備える。【選択図】図３
2006096123.tif 000002
【特許請求の範囲】
【請求項１】
車両用のミラーであって、
鏡面と、
前記鏡面を傾けるアクチュエータと、
前記鏡面の傾斜角度に応じて静電容量が変化するコンデンサと、
前記コンデンサの静電容量に基づき、前記鏡面の傾斜角度に応じた信号を出力する信号出力部と
を備えることを特徴とするミラー。
【請求項２】
前記アクチュエータは、前記鏡面の裏面に対して進退動作をすることにより、前記鏡面を傾けるスライド杆を有し、
前記コンデンサは、前記スライド杆の進退動作に応じて、静電容量を変化させることを特徴とする請求項１に記載のミラー。
【請求項３】
前記スライド杆が進退自在に螺合する螺合部材を更に備え、
前記コンデンサは、
前記スライド杆における前記螺合部材と対向する位置に設けられた第１の極板と、
前記スライド杆の進退動作に応じて前記第１の極板との距離が変化するように、前記第１の極板と対向して前記螺合部材に設けられた第２の極板と
を有することを特徴とする請求項２に記載のミラー。
【請求項４】
前記スライド杆が進退自在に螺合する螺合部材を更に備え、
前記コンデンサは、
前記スライド杆に設けられた第１の電極であって、前記スライド杆の軸方向に延伸する筒状の第１の電極と、
前記螺合部材に設けられた第２の電極であって、前記第１の電極と半径が異なる筒状の第２の電極と
を有し、
前記第１の電極、及び前記第２の電極の一方は、他方の少なくとも一部を筒内に収容し、
前記スライド杆が前記進退動作をした場合、前記スライド杆の移動量に応じて前記コンデンサの静電容量が変化するように、前記第１の電極は、前記第２の電極に対して相対的に移動することを特徴とする請求項２に記載のミラー。
【請求項５】
前記信号出力部は、
前記コンデンサの静電容量に応じた発振周波数の信号を発振する発振部と、
前記発振部が発振する発振周波数に応じて、前記鏡面の傾斜角度に応じた信号を出力するデジタルＩＣと
を有することを特徴とする請求項１から４のいずれかに記載のミラー。
【請求項６】
車両用ミラーの鏡面の傾斜角度を検出する角度検出装置であって、
前記鏡面の傾斜角度に応じて静電容量が変化するコンデンサと、
前記コンデンサの静電容量に基づき、前記鏡面の傾斜角度に応じた信号を出力する信号出力部と
を備えることを特徴とする角度検出装置。
【発明の詳細な説明】
【技術分野】
【０００１】
本発明は、ミラー及び角度検出装置に関する。特に、本発明は、車両用アウターミラー、及び車両用アウターミラーの鏡面の傾斜角度を検出する角度検出装置に関する。
【背景技術】
【０００２】
車両用アウターミラーには、良好な後方視界が得られるように、鏡面の傾斜角度を調整する角度調整装置を備えたものがある。このような車両用アウターミラーでは、運転者の視認位置に合わせて鏡面の傾斜角度を調整できる。しかし、運転者の交代の都度、微妙な角度を調整し直すのは煩雑であるため、各運転者に適した傾斜角度を再現できるようにしておくことが望まれる。
【０００３】
従来、鏡面の傾斜角度を再現すべく、傾斜角度を検出するための角度検出装置が種々提案されている。例えば、抵抗体と、鏡面の変異（傾動）に合わせて抵抗体を摺動する摺動接点とを設けた角度検出装置が提案されている。これによれば、鏡面の傾動に合わせて摺動接点が移動し、電圧値が変化するので、この電圧値を検出することで鏡面の傾斜角度を検出できる（例えば、特許文献１参照）。また、磁石とホール素子を用い、鏡面の傾動によって変化する磁力の強弱で鏡面の傾斜角度を検出する角度検出装置も知られている。
【特許文献１】特開平１０−２６４７２６号公報
【発明の開示】
【発明が解決しようとする課題】
【０００４】
しかし、例えば摺動接点を有する可変抵抗を用いた角度検出装置では、摺動により次第に抵抗体が摩耗するため、摩耗がある程度進行すると、出力が変化してしまう場合がある。また、摩耗屑の発生や、摺動ノイズの発生といった問題が生じる場合もある。
【０００５】
磁石を用いた角度検出装置では、鏡面を傾けるためのモータ等の磁気の影響で出力が変動してしまう場合がある。また、磁石及びホール素子の位置に制約があることから設計自由度が狭められる場合もある。更に、磁石が比較的高価であることからコストアップ要因が生じるという問題もある。また、摺動接点を用いた場合や、磁石を用いた場合には、出力にヒステリシスが生じる場合もある。
【０００６】
そこで、本発明は、上記の問題点を解決できるミラー及び角度検出装置を提供することを目的とする。
【課題を解決するための手段】
【０００７】
上記の問題点を解決するために、本発明は、以下の構成を有する。
（構成１）車両用のミラーであって、鏡面と、鏡面を傾けるアクチュエータと、鏡面の傾斜角度に応じて静電容量が変化するコンデンサと、コンデンサの静電容量に基づき、鏡面の傾斜角度に応じた信号を出力する信号出力部とを備える。
【０００８】
このように構成すれば、コンデンサの原理を応用した無接触タイプのセンサにより、鏡面の傾斜角度を適切に検出できる。また、摩耗する摺動接点を用いていないため、例えば摺動接点を有する可変抵抗を用いる場合と比べ、耐久性がよくなり、ノイズも低減できる。例えば、摩耗粉の発生や、摩耗粉に摺動接点が乗り上げることにより生じるノイズの問題が生じない。また、磁石等が不要になるため、ミラーのコストを低減できる。
コンデンサは、例えば、鏡面の傾斜角度の変化に応じてお互いの相対位置が変化する部分に、互い向き合う２個の極板を有するようにする。これらの極板は、金属等の導体で形成された板状体や、筒状体であってもよい。このように構成すれば、鏡面の傾斜角度に応じてコンデンサの静電容量を適切に変化させることができる。
【０００９】
（構成２）アクチュエータは、鏡面の裏面に対して進退動作をすることにより、鏡面を傾けるスライド杆を有し、コンデンサは、スライド杆の進退動作に応じて、静電容量を変化させる。このように構成すれば、鏡面の傾斜角度に応じてコンデンサの静電容量を適切に変化させることができる。
【００１０】
（構成３）スライド杆が進退自在に螺合する螺合部材を更に備え、コンデンサは、スライド杆における螺合部材と対向する位置に設けられた第１の極板と、スライド杆の進退動作に応じて第１の極板との距離が変化するように、第１の極板と対向して螺合部材に設けられた第２の極板とを有する。このように構成すれば、コンデンサを、スペース効率よく配置できる。
【００１１】
（構成４）スライド杆が進退自在に螺合する螺合部材を更に備え、コンデンサは、スライド杆に設けられた第１の電極であって、スライド杆の軸方向に延伸する筒状の第１の電極と、螺合部材に設けられた第２の電極であって、第１の電極と半径が異なる筒状の第２の電極とを有し、第１の電極、及び第２の電極の一方は、他方の少なくとも一部を筒内に収容し、スライド杆が進退動作をした場合、スライド杆の移動量に応じてコンデンサの静電容量が変化するように、第１の電極は、第２の電極に対して相対的に移動する。このように構成すれば、コンデンサを、スペース効率よく配置できる。
【００１２】
（構成５）信号出力部は、コンデンサの静電容量に応じた発振周波数の信号を発振する発振部と、発振部が発振する発振周波数に応じて、鏡面の傾斜角度に応じた信号を出力するデジタルＩＣとを有する。このように構成すれば、デジタルＩＣとして、例えばＡ／Ｄ変換器を有さないマイコン等を用いて、鏡面の傾斜角度に応じた信号を出力できる。そのため、例えば鏡面の傾斜角度の変化を電圧値等のアナログ信号を変化させる場合と比べ、ミラーのコストを低減できる。
【００１３】
（構成６）車両用ミラーの鏡面の傾斜角度を検出する角度検出装置であって、鏡面の傾斜角度に応じて静電容量が変化するコンデンサと、コンデンサの静電容量に基づき、鏡面の傾斜角度に応じた信号を出力する信号出力部とを備える。このように構成すれば、構成１と同様の効果を得ることができる。
【発明の効果】
【００１４】
本発明によれば、鏡面の傾斜角度を適切に検出できる。
【発明を実施するための最良の形態】
【００１５】
以下、本発明に係る実施形態を、図面を参照しながら説明する。
図１は、本発明の一実施形態に係るサイドミラー１０の構成の一例を示す分解斜視図である。サイドミラー１０は、自動車等の車両用のアウターミラーであり、カバー１８、鏡面１２、フレーム１６、及びミラー角度調整装置１４を備える。
【００１６】
カバー１８は、サイドミラー１０の外側を覆うミラーボデーであり、フレーム１６及びミラー角度調整装置１４を内部に収容する。また、カバー１８は、車両の後方側に開口部を有し、この開口部に、鏡面１２を、傾動可能に保持する。鏡面１２は、反射面を車両の後方に向けて、カバー１８の開口部に取り付けられる。
【００１７】
フレーム１６は、カバー１８に固定された基台であり、ミラー角度調整装置１４を、鏡面１２の裏面に向けて保持する。鏡面１２の裏面とは、鏡面１２において反射面と反対の方向を向く面である。
【００１８】
ミラー角度調整装置１４は、鏡面１２を傾ける駆動装置である。本例において、ミラー角度調整装置１４は、鏡面１２の傾斜角度を検出する角度検出装置の機能を更に有しており、予め記憶した記憶値と角度の検出値とが一致するように鏡面１２を傾けることにより、鏡面１２の傾斜角度を調整する。このような構成により、サイドミラー１０を、予め記憶した運転者の視認位置に合わせて鏡面１２の傾斜角度を調整するミラー（メモリミラー）として機能する。
【００１９】
尚、鏡面１２の傾斜角度とは、例えば、所定の基準面と鏡面１２とがなす角度である。この所定の基準面は、例えば、鏡面１２が所定の基準方向を向いた場合に鏡面１２と平行になる面である。また、この基準方向は、例えば、傾動可能な範囲の中央位置にある鏡面１２が向く方向である。
【００２０】
図２は、ミラー角度調整装置１４の構成の第１の例を示す分解斜視図である。ミラー角度調整装置１４は、プレートピボット１１０、アクチュエータ１００、及び基板１１８を有する。
【００２１】
プレートピボット１１０は、アクチュエータ１００の動力に応じて傾動する板状体であり、鏡面１２とほぼ平行な状態を保つように、鏡面１２（図１参照）の裏面を保持する。このように構成すれば、プレートピボット１１０と連動させて、鏡面１２を傾動させることができる。
【００２２】
アクチュエータ１００は、ハウジング１２０と、各２個ずつのモータ１０４、ウォームホイール１０６、及びナットアジャスト１０８とを含む。ハウジング１２０は、プレートピボット１１０を挟んで鏡面１２と対向するように設けられており、自身とプレートピボット１１０との間に、モータ１０４、ウォームホイール１０６、及びナットアジャスト１０８を保持する。
【００２３】
また、ハウジング１２０は、プレートピボット１１０に向かってそれぞれ突出する、中心支持部１２２と、２個の雄ネジ部１０２とを有する。中心支持部１２２は、プレートピボット１１０の中心部を通る軸に対してプレートピボット１１０が傾動自在になるように、プレートピボット１１０の中心部を支持する。２個の雄ネジ部１０２のそれぞれは、プレートピボット１１０の水平方向回転軸上の点、及び垂直方向回転軸上の点のそれぞれに向かって突出する。雄ネジ部１０２は、螺合部材の一例である。
【００２４】
尚、プレートピボット１１０の水平方向回転軸とは、例えば、プレートピボット１１０を傾動させるための、鏡面１２と平行かつ水平方向の軸である。プレートピボット１１０の垂直方向回転軸とは、例えば、プレートピボット１１０を傾動させるための、鏡面１２と平行かつ垂直（鉛直）方向の軸である。プレートピボット１１０の中心部とは、例えば、水平方向回転軸と垂直方向回転軸との交点である。プレートピボット１１０の中心部は、プレートピボット１１０の傾動の支点であってよい。また、モータ１０４、ウォームホイール１０６、及びナットアジャスト１０８は、２個の雄ネジ部１０２のそれぞれに対応して、１個ずつ設けられている。
【００２５】
モータ１０４は、ウォームホイール１０６の外周と噛み合うウォームギヤを有しており、ハウジング１２０の底面に保持されている。ウォームホイール１０６は、モータ１０４のウォームギヤと噛み合うギヤが外周に形成された略円筒状体であり、ハウジング１２０の底部に形成された凹部により、回転自在に保持されている。この凹部は、雄ネジ部１０２を中心にして形成されている。また、ウォームホイール１０６の内周には、雄ネジ部１０２が挿通されている。
【００２６】
ナットアジャスト１０８は、鏡面１２の裏面に対して進退動作をすることにより、鏡面１２を傾けるスライド杆の一例である。本例において、ナットアジャスト１０８は、雄ネジ部１０２の反対側からウォームホイール１０６の内周に挿通されており、ウォームホイール１０６の内周において、雄ネジ部１０２と螺合する。また、ナットアジャスト１０８は、ウォームホイール１０６に対する相対回転不能、かつウォームホイール１０６の軸方向に移動自在に、ウォームホイール１０６に保持されている。また、ナットアジャスト１０８における雄ネジ部１０２から遠い端部は、プレートピボット１１０の裏面と係合している。
【００２７】
この構成において、モータ１０４を回転させると、このモータ１０４に対応するウォームホイール１０６は、モータ１０４に従って、ナットアジャスト１０８と共に雄ネジ部１０２を中心に回転する。そして、この回転に応じて、雄ネジ部１０２と螺合しているナットアジャスト１０８は、雄ネジ部１０２の溝に導かれて、雄ネジ部１０２の軸方向に進退動作を行う。
【００２８】
そして、裏面においてナットアジャスト１０８と係合しているプレートピボット１１０は、ナットアジャスト１０８の進退動作に応じて、水平方向回転軸又は垂直方向回転軸を中心に傾動する。そして、プレートピボット１１０は、自身の傾動に合わせて、鏡面１２を傾動させる。このようにして、アクチュエータ１００は、鏡面１２と平行な軸を中心に鏡面１２を傾ける。
【００２９】
また、本例において、ナットアジャスト１０８の内部には、ナットアジャスト１０８の進退動作に応じて静電容量を変化させるコンデンサが設けられている。そのため、このコンデンサは、鏡面１２の傾斜角度に応じて静電容量を変化させることとなる。
【００３０】
基板１１８は、信号出力部１２４等の周辺電子回路が実装された基板であり、ハウジング１２０裏側に取り付けられている。信号出力部１２４は、ナットアジャスト１０８の内部に設けられたコンデンサの静電容量に基づき、鏡面１２の傾斜角度に応じた信号を出力する回路である。このように構成すれば、コンデンサの静電容量変化を利用して、鏡面の傾斜角度を適切に検出できる。
【００３１】
図３は、ミラー角度調整装置１４の要部を示す。図３（ａ）は、ナットアジャスト１０８の内部を示す断面図であり、ナットアジャスト１０８の軸方向と平行な平面で切断した断面を示す。
【００３２】
本例において、ナットアジャスト１０８は、雄ネジ部１０２の軸方向に進退自在に、雄ネジ部１０２と螺合している。また、ナットアジャスト１０８の内部には、２個の極板３０２、３０４を有するコンデンサ２０２が設けられている。極板３０２は、ナットアジャスト１０８における雄ネジ部１０２と対向する位置に設けられている。また、極板３０４は、極板３０２と対向して雄ネジ部１０２に設けられている。
【００３３】
図３（ｂ）は、コンデンサ２０２を示す斜視図である。本例において、２個の極板３０２、３０４は、略円板状の金属板であり、ナットアジャスト１０８の内部において、向かい合わせに配置されている。
【００３４】
このような構成において、鏡面１２（図１参照）の傾斜角度を変化させるためにモータ１０４（図２参照）を駆動すると、ナットアジャスト１０８の進退動作に応じてプレートピボット１１０が軸２０４を中心に傾動する。そして、極板３０２がナットアジャスト１０８と共に移動するため、極板３０２と極板３０４との間の距離は、ナットアジャスト１０８の進退動作に応じて変化する。そのため、このように構成すれば、コンデンサ２０２の静電容量を、鏡面１２の傾斜角度に応じて変化させることができる。
【００３５】
また、信号出力部１２４は、コンデンサ２０２の静電容量に基づき、鏡面１２の傾斜角度に応じた信号を、サイドミラー１０（図１参照）の外部に出力する。そのため、本例によれば、鏡面１２の傾斜角度を適切に検出することができる。
【００３６】
以下、コンデンサ２０２の静電容量変化の具体例を示す。一例として、鏡面１２の傾斜角度が±１４°の範囲で変化し、これに応じて極板３０２と極板３０４との間の距離ｄが０．００１〜０．０１２ｍの範囲で変化する場合を考える。また、極板３０２、３０４として、直径６ｍｍの円板状体を用いるとする。極板３０２、３０４の面積ＳはそれぞれＳ＝２．８３×１０−５ｍ２である。
【００３７】
この場合に、距離ｄが０．００１〜０，０１２ｍの範囲で変化すると、コンデンサ２０２の静電容量Ｃ＝ε×Ｓ／ｄは、０．２５〜０．０２１ｐＦの範囲で変化することとなる。そのため、本例にようにコンデンサ２０２を構成すれば、鏡面１２の傾斜角度を十分に検出することができる。尚、空気中の誘電率εは、ε＝８．８５４×１０−１２Ｆ／ｍである。
【００３８】
図４は、信号出力部１２４の回路構成の一例を、コンデンサ２０２と共に示す。本例において、信号出力部１２４は、発振部４１０及びマイコン４０８を有する。
【００３９】
発振部４１０は、直列に接続された３個のインバータ４０２ａ〜ｃと、抵抗４０４、４０６とを有する。抵抗４０４は、３個のインバータ４０２ａ〜ｃと直列に、初段のインバータ４０２ａの前段に接続される。抵抗４０６は、抵抗４０４におけるインバータ４０２ａから遠い端部と、インバータ４０２ｃの出力端とを接続する。また、コンデンサ２０２は、抵抗４０４におけるインバータ４０２ａから遠い端部と、インバータ４０２ｂの出力端との間に接続される。このように構成することにより、発振部４１０は、コンデンサ２０２の静電容量に応じた発振周波数の信号を発振する。
【００４０】
この構成により、発振部４１０は、発振周波数ｆ＝１／２．２ＲＣとなる信号を発振する。そのため、図３を用いて説明した具体例のようにコンデンサ２０２の静電容量が変化する場合、抵抗４０４、４０６の抵抗値を例えば１ＭΩとすれば、発振周波数は１．８Ｍ〜２２ＭＨｚの範囲で変化する。
【００４１】
マイコン４０８は、デジタルＩＣの一例であり、発振部４１０が発振する発振周波数を鏡面１２の傾斜角度に換算する。これにより、マイコン４０８は、鏡面１２の傾斜角度に応じた信号を出力する。マイコン４０８は、例えばＡ／Ｄ変換器を有さない安価なマイコンであってよい。そのため、本例によれば、サイドミラー１０のコストを低減できる。
【００４２】
図５は、ミラー角度調整装置１４の構成の第２の例を示す。図５（ａ）は、ナットアジャスト１０８の内部を示す断面図であり、ナットアジャスト１０８の軸方向と平行な平面で切断した断面を示す。図５（ｂ）は、コンデンサ２０２を示す断面図であり、ナットアジャスト１０８の軸方向と垂直な平面で切断した断面を示す。尚、以下に説明する点を除き、図５において、図２〜図４に示す構成と同一又は同様の機能を有する構成は、図２〜図４と同じ符号を付して、その説明を省略する。また、本例におけるミラー角度調整装置１４は、図２〜図４を用いて説明したミラー角度調整装置１４と同様に、例えばアクチュエータ１００（図２参照）におけるモータ１０４及びウォームホイール１０６等（図２参照）を更に有する。
【００４３】
本例において、コンデンサ２０２は、ナットアジャスト１０８及び雄ネジ部１０２にそれぞれに設けられた２個の極板３０６、３０８を有する。極板３０６は、ナットアジャスト１０８の軸方向に延伸する筒状の金属電極である。また、極板３０８は、極板３０６と半径が異なる筒状の金属電極であり、雄ネジ部１０２の軸方向に延伸するように、雄ネジ部１０２の内部に形成される。このようにして、極板３０６及び極板３０８は、軸方向への相対移動可能に、同軸に設けられている。尚、雄ネジ部１０２において極板３０８の外側を覆う部分は、誘電体で形成される。
【００４４】
本例において、極板３０６は、極板３０８よりも大きな直径を有しており、極板３０８の一部又は全体を筒内に収容する。そして、ナットアジャスト１０８が進退動作をした場合、ナットアジャスト１０８の移動に伴って、極板３０６は、極板３０８に対して相対的に移動する。そして、極板３０６が相対移動すると、極板３０６、３０８において向かう合う部分の面積が変化する。そのため、コンデンサ２０２の静電容量は、ナットアジャスト１０８の移動量に応じて変化する。
【００４５】
このように、本例において、コンデンサ２０２は、極板間の距離を変化させる代わりに、極板３０６、３０８の相対位置をずらすことにより、静電容量を変化させる。そのため、本例においても、鏡面１２の傾斜角度に応じて、コンデンサ２０２の静電容量を変化させることができる。
【００４６】
図６は、ミラー角度調整装置１４の構成の第３の例を示す。図６（ａ）は、ミラー角度調整装置１４の要部の断面図であり、ナットアジャスト１０８の軸方向と平行な平面で切断した断面を示す。図６（ｂ）は、コンデンサ２０２を示す断面図であり、ナットアジャスト１０８の軸方向と垂直な平面で切断した断面を示す。尚、以下に説明する点を除き、図６において、図２〜図４に示す構成と同一又は同様の機能を有する構成は、図２〜図４と同じ符号を付して、その説明を省略する。また、本例におけるミラー角度調整装置１４は、図２〜図４を用いて説明したミラー角度調整装置１４と同様に、例えばアクチュエータ１００（図２参照）におけるモータ１０４及びウォームホイール１０６等（図２参照）を更に有する。
【００４７】
本例において、ミラー角度調整装置１４は、バネ１１２及びスライドブロック１２６を更に有する。また、ハウジング１２０は、プレートピボット１１０に向かって突出する凸部１２８を更に有する。尚、ミラー角度調整装置１４は、２個のナットアジャスト１０８対応して、２個のバネ１１２、及び２個のスライドブロック１２６を有してよい。また、ハウジング１２０は、２個の凸部１２８を有してよい。
【００４８】
バネ１１２は、一部がスライドブロック１２６の内部に挿入された状態で、スライドブロック１２６と凸部１２８との間に設けられており、スライドブロック１２６をプレートピボット１１０に向かって付勢することにより、スライドブロック１２６を、プレートピボット１１０に当接させる。
【００４９】
スライドブロック１２６は、鏡面１２（図１参照）とほぼ垂直な軸方向に延伸する筒状体であり、一端をプレートピボット１１０に当接させつつ、鏡面１２とほぼ垂直な移動方向に移動可能に保持されている。そのため、鏡面１２の傾斜角度が変化した場合、プレートピボット１１０の傾動に従って、スライドブロック１２６は、鏡面１２の傾斜角度の変化量に応じた距離だけ、鏡面１２とほぼ垂直な移動方向に移動する。このようにして、スライドブロック１２６は、鏡面１２の動きを直線運動に変換する。
【００５０】
また、本例において、スライドブロック１２６は、金属により形成されており、コンデンサ２０２の一方の極板３１０として用いられる。コンデンサ２０２は、他方の極板３１２を、凸部１２８の内部に有する。極板３１２は、凸部１２８の軸方向に延伸する棒状の金属電極である。
【００５１】
このように構成した場合、鏡面１２の傾斜角度の変化に応じてスライドブロック１２６が移動するため、極板３１０、３１２において向かう合う部分の面積が変化する。そのため、本例においても、鏡面１２の傾斜角度に応じて、コンデンサ２０２の静電容量を変化させることができる。
【００５２】
尚、鏡面１２の動きを直線運動に変換する構成としては、上記のスライドブロック１２６に限らず、例えば鏡面１２、ミラーホルダ、ハウジング１２０、ナットアジャスト１０８等のサイドミラー１０の構成部品のいずれかに配置されたその他の部材を用いてもよい。また、鏡面１２の動きを直線運動に変換する構成を設ける位置は、アクチュエータ１００の内部及び外部のいずれにも限定されない。
【００５３】
また、コンデンサ２０２を設ける位置は、例えばナットアジャスト１０８内やスライドブロック１２６内に限らない。例えば、鏡面１２の傾斜角度に応じて移動する部材が利用できる位置であれば、プレートピボット１１０とハウジング１２０との間のその他の位置や、プレートピボット１１０とカバー１８（図１参照）との間、鏡面１２とカバー１８との間等の、様々な位置に設けることが考えられる。
【００５４】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００５５】
本発明は、例えば車両用アウターミラーに好適に利用できる。
【図面の簡単な説明】
【００５６】
【図１】本発明の一実施形態に係るサイドミラー１０の構成の一例を示す分解斜視図である。
【図２】ミラー角度調整装置１４の構成の第１の例を示す分解斜視図である。
【図３】ミラー角度調整装置１４の要部を示す図である。  図３（ａ）は、ナットアジャスト１０８の内部を示す断面図である。  図３（ｂ）は、コンデンサ２０２を示す斜視図である。
【図４】信号出力部１２４の回路構成の一例を示す図である。
【図５】ミラー角度調整装置１４の構成の第２の例を示す図である。  図５（ａ）は、ナットアジャスト１０８の内部を示す断面図である。  図５（ｂ）は、コンデンサ２０２を示す断面図である。
【図６】ミラー角度調整装置１４の構成の第３の例を示す図である。  図６（ａ）は、ミラー角度調整装置１４の要部の断面図である。  図６（ｂ）は、コンデンサ２０２を示す断面図である。
【符号の説明】
【００５７】
１０・・・サイドミラー、１２・・・鏡面、１４・・・角度検出装置（ミラー角度調整装置）、１６・・・フレーム、１８・・・カバー、１００・・・アクチュエータ、１０２・・・螺合部材（雄ネジ部）、１０４・・・モータ、１０６・・・ウォームホイール、１０８・・・スライド杆（ナットアジャスト）、１１０・・・プレートピボット、１１２・・・バネ、１１８・・・基板、１２０・・・ハウジング、１２２・・・中心支持部、１２４・・・信号出力部、１２６・・・スライドブロック、１２８・・・凸部、２０２・・・コンデンサ、２０４・・・軸、３０２・・・極板、３０４・・・極板、３０６・・・極板、３０８・・・極板、３１０・・・極板、３１２・・・極板、４０２・・・インバータ、４０４・・・抵抗、４０６・・・抵抗、４０８・・・デジタルＩＣ（マイコン）、４１０・・・発振部
【図１】
2006096123.tif 000003
【図２】
2006096123.tif 000004
【図３】
2006096123.tif 000005
【図４】
2006096123.tif 000006
【図５】
2006096123.tif 000007
【図６】
2006096123.tif 000008